(57)【要約】      （修正有）【課題】予備の鑑賞物を収容可能であり、必要時に迅速且つ容易に鑑賞物の交換が可能な差込式額縁を提供する。【解決手段】差込式額縁１は、鑑賞物Ｐの周縁に配置され、鑑賞物Ｐを鑑賞可能とする鑑賞用開口２ａを有するフレーム本体２を備える。フレーム本体２の背面には、鑑賞用開口２ａと連通し、複数の鑑賞物Ｐを収容可能な箱状の収容部３が設けられる。収容部３は、背面板、底板及び２枚の側板３ａとを備え、フレーム本体２を伴って、上方が開口した箱体となる。また、収容部３に収容可能であり、透光性を有するフィルム材により形成され、鑑賞物Ｐを収容可能な袋状のポケットを備えるホルダ４を備える。【選択図】図１
0003228381.tif 000002
【実用新案登録請求の範囲】
【請求項１】
鑑賞物の周縁に配置され、前記鑑賞物を鑑賞可能とする鑑賞用開口を有するフレーム本体を備える差込式額縁であって、
前記フレーム本体の背面には、前記鑑賞用開口と連通し、複数の前記鑑賞物を収容可能な箱状の収容部が設けられることを特徴とする差込式額縁。
【請求項２】
前記収容部は、背面板と、底板と、２つの側板とを備え、前記フレーム本体を伴って一面が開口した箱体となることを特徴とする請求項１に記載の差込式額縁。
【請求項３】
前記収容部に収容可能であり、透光性を有する素材により形成され、前記鑑賞物を収容可能なポケットを備えるホルダを備えることを特徴とする請求項１又は２に記載の差込式額縁。
【請求項４】
前記収容部に、複数の前記ホルダを収容した状態において、最前方にある前記ホルダと、前方から２番目の前記ホルダとの間に、仕切り板を備えることを特徴とする請求項３に記載の差込式額縁。
【請求項５】
前記ホルダは、前記ポケットの開口側端縁であって、前記収容部に収容された状態における２つの前記側板方向の両端部に、２つの前記側板に係止する係止片を備えることを特徴とする請求項３又は４の何れかに記載の差込式額縁。
【請求項６】
前記ホルダは、前記ポケットの開口を封止するストッパを備え、
前記ストッパは、前記係止片を備えることを特徴とする請求項５に記載の差込式額縁。
【考案の詳細な説明】
【技術分野】
【０００１】
本考案は、差込式額縁に関する。
【背景技術】
【０００２】
従来より、絵画等の鑑賞物を額縁に収容することで、外観良く鑑賞物を展示することは広く行われている。一般に、額縁は、一つの額縁に一つの鑑賞物を収容し、展示するものであるが、鑑賞物を他の鑑賞物と交換する際、額縁の背面板を取り外して交換する必要があり、手間であった。そのため、特許文献１には、鑑賞物が収容されたカートリッジを差し替えるだけで簡単に鑑賞物を交換可能なカートリッジ額縁が開示されている。
【先行技術文献】
【特許文献】
【０００３】
【特許文献１】特開平１１−４２１５０号公報
【考案の概要】
【考案が解決しようとする課題】
【０００４】
しかし、特許文献１のカートリッジ額縁は、交換は容易に行えるが、他の場所に保管された予備の鑑賞物を取りに行く手間があり、必要時に迅速に展示物の交換できるとは言えない。
【０００５】
そこで本考案では、予備の鑑賞物を収容可能であり、必要時に迅速且つ容易に鑑賞物の交換が可能な差込式額縁の提供を目的とする。
【課題を解決するための手段】
【０００６】
上記目的を達成するために、請求項１に記載の考案は、鑑賞物の周縁に配置され、鑑賞物を鑑賞可能とする鑑賞用開口を有するフレーム本体を備える差込式額縁であって、フレーム本体の背面には、鑑賞用開口と連通し、複数の鑑賞物を収容可能な箱状の収容部が設けられることを特徴とする。
請求項２に記載の考案は、上記構成において、収容部は、背面板と、底板と、２つの側板とを備え、フレーム本体を伴って一面が開口した箱体となることを特徴とする。
請求項３に記載の考案は、上記構成において、収容部に収容可能であり、透光性を有する素材により形成され、鑑賞物を収容可能なポケットを備えるホルダを備えることを特徴とする。
請求項４に記載の考案は、上記構成において、収容部に、複数のホルダを収容した状態において、最前方にあるホルダと、前方から２番目のホルダとの間に、仕切り板を備えることを特徴とする。
請求項５に記載の考案は、上記構成において、ホルダは、ポケットの開口側端縁であって、収容部に収容された状態における２つの側板方向の両端部に、２つの側板に係止する係止片を備えることを特徴とする。
請求項６に記載の考案は、上記構成において、ホルダは、ポケットの開口を封止するストッパを備え、ストッパは、係止片を備えることを特徴とする。
【考案の効果】
【０００７】
請求項１及び２に記載の考案によれば、フレーム本体に収容部を設けることで、予備の鑑賞物を収容することができる。また、予備の鑑賞物を額縁とは別の場所に収納する必要がなくなるため、必要時に、迅速且つ容易に鑑賞物を交換して展示できる。
請求項３に記載の考案によれば、上記効果に加え、ポケットに鑑賞物を収容することで、外部から鑑賞物を保護できると共に、ホルダの差し替えを行うことで迅速且つ容易に鑑賞物を交換して展示できる。
請求項４に記載の考案によれば、上記効果に加え、展示される鑑賞物が曲がる等の不具合を防止できるため、美観良く鑑賞物を展示できる。
請求項５に記載の考案によれば、上記効果に加え、ホルダが収容部内に吊られる形となるため、展示用、予備用を問わず、ホルダ内に収容された鑑賞物が曲がる等の不具合を防ぐ事ができる。また、収容部内でのホルダの姿勢を保持できるため、傾いて展示されることを防止できる。
請求項６に記載の考案によれば、上記効果に加え、ポケットの開口を封止できるため、ポケットに収容された鑑賞物の紛失等を防止することができる。
【図面の簡単な説明】
【０００８】
【図１】本考案の差込式額縁の外観を示す説明図である。
【図２】ホルダを示す説明図である。
【図３】差込式額縁にホルダ等が差し込まれる様子を示す説明図である。
【考案を実施するための形態】
【０００９】
以下、本考案の実施例の形態を図面に基づいて説明する。
図１は、本考案の差込式額縁の外観を示す説明図である。図２は、ホルダを示す説明図である。図３は、差込式額縁にホルダ等が差し込まれる様子を示す説明図である。
差込式額縁１は、図１に示すように、フレーム本体２と、収容部３とを備える。また、収容部３には、それぞれに鑑賞物Ｐが収容された複数のホルダ４が収容されている。差込式額縁１は、収容部３の背面に設けられた留め具（図示せず）を用いて、室内壁面に壁掛け型の額縁として使用しても良いし、収容部３を支えとして置き型の額縁として使用しても良い。また、置き型として使用する場合、差込式額縁１の転倒防止を目的に、収容部３の背面に、脚、スタンド等の支持部材を設けても良い。
【００１０】
フレーム本体２は、鑑賞物Ｐの周縁に配置される長方形状の板体であって、その前面中央には、展示される鑑賞物Ｐを視認可能な鑑賞用開口２ａが設けられている。また、鑑賞用開口２ａには、ガラス板、アクリル板等の無色透明の保護板２ｂが取り付けられている。
【００１１】
収容部３は、フレーム本体２の背面に設けられる。収容部３は、背面板、底板及び２枚の側板３ａとを備え、フレーム本体２を伴って、上方が開口した略箱体となる。また、底板及び２枚の側板３ａが、フレーム本体２の背面に任意の固定手段によって固定されている。
【００１２】
ホルダ４は、図２に示すように、無色透明のフィルム材により袋状に形成され、ポケット５を備える。無色透明のフィルム材を用いることで、ポケット５に収容された鑑賞物Ｐを外部より視認可能となっている。また、ホルダ４は、ストッパ６を備える。ストッパ６は、下方に向けて開口し、左右方向に延びる長尺のクリップ状であり、図３において展示用ホルダ４ａとして示すように、閉じた状態の開口部５ａにストッパ６を取り付けることで、ポケット５を封止する。ストッパ５によりポケット５の開口部５ａを封止できるため、ポケット５に収容された鑑賞物Ｐの紛失等を防止することができる。
【００１３】
差込式額縁１の収容部３には、図３に示すように、前方から順に、展示される鑑賞物Ｐが収容された展示用ホルダ４ａ、仕切り板７、及び予備の鑑賞物が収容された予備ホルダ４ｂ，４ｃ，４ｄ，４ｅが収容される。各ホルダ４ａ，４ｂ，４ｃ，４ｄ，４ｅのストッパ６の長手方向両端部において、ポケット５の左右両端縁より突出した部分それぞれが、収容部３の２枚の側板３ａの上端縁に係止する係止片６ａ，６ｂとして機能する。係止片６ａ，６ｂが２枚の側板３ａの上端縁に係止することで、ホルダが収容部内に吊られる形となるため、ホルダ４ａ，４ｂ，４ｃ，４ｄ，４ｅ内に収容された鑑賞物Ｐが曲がる等の不具合を防ぐことができる。また、収容部３内でのホルダ４ａ，４ｂ，４ｃ，４ｄ，４ｅの姿勢を保持でき、特に展示用ホルダ４ａの姿勢の保持により、鑑賞物Ｐが傾いて展示されることを防止できる。
【００１４】
また、展示用ホルダ４ａと、予備ホルダ４ｂとの間に仕切り板７を挿入することで、展示用ホルダ４ａのポケット５の変形を防止でき、ホルダ４ａ内の鑑賞物Ｐが曲がる等の不具合無く、美観良く鑑賞物を展示できる。
さらに、予備ホルダ４ｂ，４ｃ，４ｄ，４ｅの何れかと、展示用ホルダ４ａとを差し替えることで、迅速且つ容易に展示される鑑賞物Ｐを交換できる。
加えて、ホルダ４のポケット５は、前面及び背面の両面が無色透明であることから、ポケット５に２つの鑑賞物Ｐ，Ｐを背中合わせで収容することで、必要時にホルダ４の向きを入れ替えるだけで、迅速且つ容易に鑑賞物Ｐを交換して展示することもできる。
【００１５】
上記形態の差込式額縁１は、鑑賞物Ｐの周縁に配置され、鑑賞物Ｐを鑑賞可能とする鑑賞用開口２ａを有するフレーム本体２を備え、フレーム本体２の背面には、鑑賞用開口２ａと連通し、複数の鑑賞物Ｐを収容可能な略箱状の収容部３が設けられる。
このように構成された差込式額縁１によれば、フレーム本体２に収容部３を設けることで、複数の予備の鑑賞物Ｐを差込式額縁１とは別の場所に収納する必要がなくなり、必要時に、迅速且つ容易に鑑賞物Ｐを交換して展示できる。
【００１６】
また、収容部３に収容可能であり、無色透明のフィルム材により形成され、鑑賞物Ｐを収容可能な袋状のポケット５を備えるホルダ４を備える。
よって、ポケット５に鑑賞物Ｐを収容することで、外部から鑑賞物Ｐを保護できると共に、展示用ホルダ４ａと予備ホルダ４ｂ，４ｃ，４ｄ，４ｅの差し替えを行うことで迅速且つ容易に鑑賞物Ｐを交換して展示できる。
【００１７】
また、収容部３に、複数のホルダ４を収容した状態において、最前面にある展示用ホルダ４ａと、予備ホルダ４ｂとの間に、仕切り板７を備える。
よって、展示される鑑賞物Ｐが曲がる等の不具合を防止できるため、美観良く鑑賞物を展示できる。
【００１８】
また、ホルダ４は、ポケット５の開口部５ａを封止するストッパ６を備え、ストッパ６は、左右両端部に係止片６ａ，６ｂを備える。
よって、ホルダ４が収容部３内に吊られる形となるため、ホルダ４ａ，４ｂ，４ｃ，４ｄ，４ｅ内に収容された鑑賞物Ｐが曲がる等の不具合を防ぐことができる。また、収容部３内でのホルダ４ａ，４ｂ，４ｃ，４ｄ，４ｅの姿勢を保持でき、特に展示用ホルダ４ａの姿勢の保持により、鑑賞物Ｐが傾いて展示されることを防止できる。また、ストッパ６によりポケット５の開口部５ａを封止できるため、ポケット５に収容された鑑賞物Ｐの紛失等を防止することができる。これらの姿勢保持及び封止の作用効果は、ホルダ４ａ，４ｂ，４ｃ，４ｄ，４ｅ毎に１つのストッパ６で一度に確保できる。
【００１９】
以上は、本考案を図示例に基づいて説明したものであり、その技術範囲はこれに限定されるものではない。例えば、フレーム本体は、長方形状体に限定されず、鑑賞用開口と収容部とを備えていれば、多角形状体や円状体等の任意の形状で形成してよい。
また、フレーム本体には何らかの装飾が施されてもよい。
また、保護板は、鑑賞物の美観を損なうことがなければ、例えば、前方に向けて凸状である等の任意の形状であって良いし、保護板に何らかの装飾が施されても良い。
また、収容部の開口方向は、上方に限定されず、側方に開口するものであっても良い。その場合、係止片は、収容部の天板及び底板に係止することになる。
また、ポケットは、袋状に限定されず、単にフィルム状部材を折り返した様なものであっても良い。
また、ポケットに使用される素材は、無色透明以外にも、着色された透明素材、半透明素材等を任意に選択できる。
また、ホルダは、収容部の側板に係止できる構成であれば、ストッパを備えていなくても良い。例えば、ポケットの開口部の２つの側板側端縁に剛性部材からなる係止片を備えているだけでも良い。
また、ホルダの数は、収容部に収容可能な範囲で任意に設定可能である。
【符号の説明】
【００２０】
１・・差込式額縁、２・・フレーム本体、３・・収容部、４・・ホルダ、５・・ポケット、６・・ストッパ、６ａ，６ｂ・・係止片、７・・仕切り板。
【図１】
0003228381.tif 000003
【図２】
0003228381.tif 000004
【図３】
0003228381.tif 000005